(57)【特許請求の範囲】
【請求項１】
互いの内側面同士を対向させた状態で、互いに同心に、且つ回転自在に支持された第一、第二のディスクと、それぞれがこれら第一、第二のディスクの中心軸に対し捻れの位置にある枢軸を中心として揺動する複数のトラニオンと、それぞれが互いに偏心した支持軸部及び枢支軸部から成り、このうちの支持軸部を上記トラニオンに回転自在に支持し、枢支軸部を上記トラニオンの内側面から突出させた複数本の変位軸と、それぞれが上記枢支軸部の周囲にラジアルニードル軸受を介して回転自在に支持された状態で、上記第一、第二の両ディスクの間に挟持された複数個のパワーローラと、これら各パワーローラの外端面に添設されてこれら各パワーローラに加わるスラスト荷重を支承しつつこれら各パワーローラの回転を許容する複数個のスラスト転がり軸受と、これら各スラスト転がり軸受を構成するスラスト軌道輪の外側面と上記各トラニオンの内側面との間に設けられ、上記各パワーローラから上記各スラスト軌道輪に加わるスラスト方向の荷重を支承しつつ、上記各トラニオンに対するこれら各スラスト軌道輪の変位を許容する複数個の別のスラスト軸受と、上記各変位軸の枢支軸部の内部に設けられ、その上流端部を上記枢支軸部の基端面に開口させた給油通路とを備えたトロイダル型無段変速機に於いて、上記各パワーローラの中心部に、その内部に上記枢支軸部及び上記ラジアルニードル軸受を挿入自在な有底の円孔を、上記各パワーローラの外端面側にのみ開口する状態で形成すると共に、上記枢支軸部の内部に、この枢支軸部の基端面からこの枢支軸部の先端側に向けて形成された１本の直線状の給油孔の下流端を、上記枢支軸部の先端面に開口させて、上記給油通路を構成すると共に、この給油通路を通じて上記円孔内に送り込んだ潤滑油の全量を、上記ラジアルニードル軸受及び上記スラスト転がり軸受を通過させてから、このスラスト転がり軸受の周囲空間に排出自在とした事を特徴とするトロイダル型無段変速機。
【発明の詳細な説明】
【０００１】
【発明の属する技術分野】
この発明に係るトロイダル型無段変速機は、例えば自動車用の変速機の変速ユニットとして、或は各種産業機械用の変速機として、それぞれ利用する。
【０００２】
【従来の技術】
自動車用変速機の変速ユニットとして、図３〜４に略示する様なトロイダル型無段変速機を使用する事が研究され、一部で実施されている。このトロイダル型無段変速機は、例えば実開昭６２−７１４６５号公報に開示されている様に、入力軸１と同心に入力側ディスク（第一のディスク）２を支持し、この入力軸１と同心に配置された出力軸３の端部に出力側ディスク（第二のディスク）４を固定している。トロイダル型無段変速機を納めたケーシングの内側には、上記入力軸１並びに出力軸３に対して捻れの位置にある枢軸５、５を中心として揺動するトラニオン６、６が設けられている。
【０００３】
即ち、これら各トラニオン６、６は、両端部外側面に上記枢軸５、５を、互いに同心に、図３〜４の表裏方向に設けている。又、各トラニオン６、６の中心部には変位軸７、７の基端部を支持し、上記枢軸５、５を中心として各トラニオン６、６を揺動させる事により、各変位軸７、７の傾斜角度の調節を自在としている。各トラニオン６、６に支持された変位軸７、７の周囲には、それぞれパワーローラ８、８を回転自在に支持している。そして、各パワーローラ８、８を、上記入力側、出力側両ディスク２、４の間に挟持している。
【０００４】
これら入力側、出力側両ディスク２、４の互いに対向する内側面２ａ、４ａは、それぞれ断面が、上記枢軸５を中心とする円弧、若しくはこの様な円弧に近い曲線を回転させて得られる凹面をなしている。そして、球状凸面に形成された各パワーローラ８、８の周面８ａ、８ａを、上記内側面２ａ、４ａに当接させている。
【０００５】
上記入力軸１と入力側ディスク２との間には、ローディングカム式の押圧装置９を設け、この押圧装置９によって、上記入力側ディスク２を出力側ディスク４に向け、弾性的に押圧自在としている。この押圧装置９は、入力軸１と共に回転するカム板１０と、保持器１１により保持された複数個（例えば４個）のローラ１２、１２とから構成されている。上記カム板１０の片側面（図３〜４の左側面）には、円周方向に亙る凹凸面であるカム面１３を形成し、上記入力側ディスク２の外側面（図３〜４の右側面）にも、同様のカム面１４を形成している。そして、上記複数個のローラ１２、１２を、上記入力軸１の中心に対して放射方向の軸を中心とする回転自在に支持している。
【０００６】
上述の様に構成するトロイダル型無段変速機の使用時、入力軸１の回転に伴ってカム板１０が回転すると、カム面１３によって複数個のローラ１２、１２が、入力側ディスク２外側面のカム面１４に押圧される。この結果、上記入力側ディスク２が、上記複数のパワーローラ８、８に押圧されると同時に、上記１対のカム面１３、１４と複数個のローラ１２、１２との押し付け合いに基づいて、上記入力側ディスク２が回転する。そして、この入力側ディスク２の回転が、上記複数のパワーローラ８、８を介して出力側ディスク４に伝達され、この出力側ディスク４に固定の出力軸３が回転する。
【０００７】
入力軸１と出力軸３との回転速度比（変速比）を変える場合で、先ず入力軸１と出力軸３との間で減速を行なう場合には、枢軸５、５を中心として各トラニオン６、６を揺動させ、各パワーローラ８、８の周面８ａ、８ａが図３に示す様に、入力側ディスク２の内側面２ａの中心寄り部分と出力側ディスク４の内側面４ａの外周寄り部分とにそれぞれ当接する様に、各変位軸７、７を傾斜させる。
【０００８】
反対に、増速を行なう場合には、上記枢軸５、５を中心として上記各トラニオン６、６を揺動させ、各パワーローラ８、８の周面８ａ、８ａが図４に示す様に、入力側ディスク２の内側面２ａの外周寄り部分と出力側ディスク４の内側面４ａの中心寄り部分とに、それぞれ当接する様に、各変位軸７、７を傾斜させる。各変位軸７、７の傾斜角度を図３と図４との中間にすれば、入力軸１と出力軸３との間で、中間の変速比を得られる。
【０００９】
更に、図５〜６は、実願昭６３−６９２９３号（実開平１−１７３５５２号）のマイクロフィルムに記載された、より具体化されたトロイダル型無段変速機を示している。入力側ディスク２と出力側ディスク４とは円管状の入力軸１５の周囲に、それぞれニードル軸受１６、１６を介して回転自在に支持している。又、カム板１０は上記入力軸１５の端部（図５の左端部）外周面にスプライン係合し、鍔部１７によって上記入力側ディスク２から離れる方向への移動を阻止されている。そして、このカム板１０とローラ１２、１２とにより、上記入力軸１５の回転に基づいて上記入力側ディスク２を、出力側ディスク４に向け押圧しつつ回転させる、ローディングカム式の押圧装置９を構成している。上記出力側ディスク４には出力歯車１８を、キー１９、１９により結合し、これら出力側ディスク４と出力歯車１８とが同期して回転する様にしている。
【００１０】
１対のトラニオン６、６の両端部は１対の支持板２０、２０に、揺動並びに軸方向（図５の表裏方向、図６の左右方向）の変位自在に支持している。そして、上記各トラニオン６、６の中間部に形成した円孔２３、２３部分に、変位軸７、７を支持している。これら各変位軸７、７は、互いに平行で且つ偏心した支持軸部２１、２１と枢支軸部２２、２２とを、それぞれ有する。このうちの各支持軸部２１、２１を上記各円孔２３、２３の内側に、ラジアルニードル軸受２４、２４を介して、回転自在に支持している。又、上記各枢支軸部２２、２２の周囲にパワーローラ８、８を、別のラジアルニードル軸受２５、２５を介して回転自在に支持している。
【００１１】
尚、上記１対の変位軸７、７は、上記入力軸１５に対して１８０度反対側位置に設けている。又、これら各変位軸７、７の各枢支軸部２２、２２が各支持軸部２１、２１に対し偏心している方向は、上記入力側、出力側両ディスク２、４の回転方向に関し同方向（図６で左右逆方向）としている。又、偏心方向は、上記入力軸１５の配設方向に対しほぼ直交する方向としている。従って上記各パワーローラ８、８は、上記入力軸１５の配設方向に若干の変位自在に支持される。この結果、構成各部品の弾性変形等に起因して、上記各パワーローラ８、８が上記入力軸１５の軸方向（図５の左右方向、図６の表裏方向）に変位する場合でも、構成各部品に無理な力を加える事なく、この変位を吸収できる。
【００１２】
又、上記各パワーローラ８、８の外側面と上記各トラニオン６、６の中間部内側面との間には、パワーローラ８、８の外側面の側から順に、このパワーローラ８、８に加わるスラスト荷重を支承する為のスラスト転がり軸受であるスラスト玉軸受２６、２６と、別のスラスト軸受であるスラストニードル軸受２７、２７とを設けている。このうちのスラスト玉軸受２６、２６は、上記各パワーローラ８、８に加わるスラスト方向の荷重を支承しつつ、これら各パワーローラ８、８の回転を許容するものである。又、上記スラストニードル軸受２７、２７は、上記各パワーローラ８、８から上記各スラスト玉軸受２６、２６を構成する外輪２８、２８に加わるスラスト荷重を支承しつつ、前記枢支軸部２２、２２及びこれら各外輪２８、２８が前記各支持軸部２１、２１を中心に揺動する事を許容する。
【００１３】
更に、上記各トラニオン６、６の一端部（図６の左端部）にはそれぞれ駆動ロッド２９、２９を結合し、これら各駆動ロッド２９、２９の中間部外周面に駆動ピストン３０、３０を固設している。そして、これら各駆動ピストン３０、３０を、それぞれ駆動シリンダ４６、４６内に油密に嵌装している。
【００１４】
上述の様に構成するトロイダル型無段変速機の場合には、入力軸１５の回転は押圧装置９を介して入力側ディスク２に伝えられる。そして、この入力側ディスク２の回転が、１対のパワーローラ８、８を介して出力側ディスク４に伝えられ、更にこの出力側ディスク４の回転が、出力歯車１８より取り出される。
【００１５】
入力軸１５と出力歯車１８との間の回転速度比を変える場合には、上記１対の駆動ピストン３０、３０を互いに逆方向に変位させる。これら各駆動ピストン３０、３０の変位に伴って上記１対のトラニオン６、６が、それぞれ逆方向に変位し、例えば図６の下側のパワーローラ８が同図の右側に、同図の上側のパワーローラ８が同図の左側に、それぞれ変位する。この結果、これら各パワーローラ８、８の周面８ａ、８ａと上記入力側ディスク２及び出力側ディスク４の内側面２ａ、４ａとの当接部に作用する、接線方向の力の向きが変化する。そして、この力の向きの変化に伴って上記各トラニオン６、６が、支持板２０、２０に枢支された枢軸５、５を中心として、互いに逆方向に揺動する。この結果、前述の図３〜４に示した様に、上記各パワーローラ８、８の周面８ａ、８ａと上記各内側面２ａ、４ａとの当接位置が変化し、上記入力軸１５と出力歯車１８との間の回転速度比が変化する。
【００１６】
上述の様に構成し作用するトロイダル型無段変速機の場合、パワーローラ８、８を支持する為のラジアルニードル軸受２５及びスラスト玉軸受２６に潤滑油を送り込む必要がある。何となれば、トロイダル型無段変速機の運転時に上記パワーローラ８、８は、大きな荷重を受けつつ高速回転する。従って、上記ラジアルニードル軸受２５及びスラスト玉軸受２６の耐久性を確保する為には、これら両軸受２５、２６に十分量の潤滑油（トラクションオイル）を送り込む必要がある。
【００１７】
この様な潤滑油を送り込む為の構造として従来から、例えば実開昭６２−１５６６５８号公報、特開平８−２９１８５０号公報に記載されている様な潤滑油供給装置が知られている。この従来から知られた潤滑油供給装置は、図７に示す様に、トラニオン６の内部に送り込み側給油通路３１を形成すると共に、スラスト玉軸受２６を構成する外輪２８に給油孔３２、３２を形成して、このスラスト玉軸受２６に潤滑油を送り込み自在としている。又、ラジアルニードル軸受２５には、変位軸７の先半部を構成する枢支軸部２２の内側に設けた、請求項に記載した給油通路である受入側給油通路３３を通じて潤滑油を送り込む様にしている。この受入側給油通路３３の上流端は、上記枢支軸部２２の基端面３４の一部で支持軸部２１から外れた部分に開口している。
【００１８】
トロイダル型無段変速機の運転時には、この変速機中に組み込まれた図示しないポンプの作用により、上記送り込み側給油通路３１に潤滑油が送り込まれる。そして、この潤滑油は、送り込み側給油通路３１の下流端開口から、上記スラスト玉軸受２６を構成する外輪２８の外側面とトラニオン６の内側面との間の隙間空間内に流出する。更にこの潤滑油は、上記給油孔３２、３２を通じて上記スラスト玉軸受２６に、上記受入側給油通路３３を通じて上記ラジアルニードル軸受２５に、それぞれ送られ、これら両軸受２６、２５を潤滑する。
【００１９】
【発明が解決しようとする課題】
上述の様に構成し作用する従来のトロイダル型無段変速機の場合、受入側潤滑油通路３３の加工が面倒でコストが嵩む他、この受入側潤滑油通路３３をその内部に設けた枢支軸部２２の耐久性を確保する事が難しくなる。即ち、上記受入側通路３３は、この枢支軸部２２の軸方向（図７の上下方向）に設けられた、基端面３４側にのみ開口した主通路３５と、この主通路３５と上記枢支軸部２２の外周面とを連通させる複数の分岐通路３６、３６とから構成している為、加工作業が面倒である。特に、上記主通路３５は、上記枢支軸部２２のうちで大きな負荷を受けにくい、中心部から外れた部分に形成する。又、上記各分岐通路３６、３６も、大きな負荷を受けにくい部分（非負荷圏）に形成する必要がある。この為、上記各分岐通路３６、３６を、上記枢支軸部２２の断面の直径方向に形成できない場合が多い。そして、この様な場合には、上記各分岐通路３６、３６を形成する為のドリル刃を、上記枢支軸部２２の外周面の接線方向に対し直角方向に突き当てる事ができず、上記各分岐通路３６、３６の形成作業が面倒になる。
【００２０】
又、加工に伴って発生するバリの除去が面倒で、コストが嵩む。即ち、ボール盤等の切削加工機を使用する加工に伴って発生したバリを放置すると、使用時に分離したバリが入力側、出力側各ディスク２、４の内側面２ａ、４ａと各パワーローラ８、８の周面８ａ、８ａとの摩擦係合部に入り込んで、これら各面２ａ、４ａ、８ａを損傷する可能性がある。この為、上記加工に伴って発生したバリを除去する必要があるが、上記主通路３５と上記各分岐通路３６、３６との分岐部に生じたバリの除去が面倒で、コスト上昇の原因となる。しかも、これら各分岐部の様に、２本の孔が交差する部分ではバリが発生し易いので、この様な問題が顕著になる。
【００２１】
又、トロイダル型無段変速機の運転時に上記枢支軸部２２には、この枢支軸部２２に支持した上記パワーローラ８の周面８ａと上記入力側、出力側各ディスク２、４の内側面２ａ、４ａとの摩擦に伴って、これら各ディスク２、４の回転方向の大きな力が加わる。そして、この力に基づいて上記枢支軸部２２には、大きな曲げ応力が加わる。そして、この枢支軸部２２に、この枢支軸部２２の中心軸に対し直角方向の孔である、上記分岐通路３６、３６が存在すると、この分岐通路３６、３６部分に応力が集中する。この為、大きなトルクを伝達するトロイダル型無段変速機の場合には、上記枢支軸部２２の径を大きくしないと、上記分岐通路３６、３６部分に亀裂等の損傷が発生する可能性が生じる為、小型・軽量化を図りにくくなる。
本発明のトロイダル型無段変速機は、この様な事情に鑑みて発明したものである。
【００２２】
【課題を解決するための手段】
本発明のトロイダル型無段変速機は、前述した従来のトロイダル型無段変速機と同様に、第一、第二のディスクと、複数のトラニオンと、複数本の変位軸と、複数個のパワーローラと、複数個のスラスト転がり軸受と、複数個の別のスラスト軸受と、給油通路とを備える。
このうちの第一、第二のディスクは、互いの内側面同士を対向させた状態で、互いに同心に、且つ回転自在に支持されている。
又、上記各トラニオンは、それぞれがこれら第一、第二のディスクの中心軸に対し捻れの位置にある枢軸を中心として揺動する。
又、上記各変位軸は、互いに偏心した支持軸部及び枢支軸部から成り、このうちの支持軸部を上記トラニオンに回転自在に支持し、枢支軸部を上記トラニオンの内側面から突出させている。
又、上記各パワーローラは、上記枢支軸部の周囲にラジアルニードル軸受を介して回転自在に支持された状態で、上記第一、第二の両ディスクの間に挟持されている。
又、上記各スラスト転がり軸受は、上記各パワーローラの外端面に添設されてこれら各パワーローラに加わるスラスト荷重を支承する。
又、上記各別のスラスト軸受は、上記各スラスト転がり軸受を構成するスラスト軌道輪の外側面と上記各トラニオンの内側面との間に設けられ、上記各パワーローラから上記各スラスト軌道輪に加わるスラスト方向の荷重を支承しつつ、上記各トラニオンに対するこれら各スラスト軌道輪の変位を許容する。
更に、上記給油通路は、上記各変位軸の枢支軸部の内部に設けられ、その上流端部を上記枢支軸部の基端面に開口させている。
特に、本発明のトロイダル型無段変速機に於いては、上記各パワーローラの中心部に、その内部に上記枢支軸部及び上記ラジアルニードル軸受を挿入自在な有底の円孔を、上記各パワーローラの外端面側にのみ開口する状態で形成している。
又、上記枢支軸部の内部に、この枢支軸部の基端面からこの枢支軸部の先端側に向けて形成された１本の直線状の給油孔の下流端を、上記枢支軸部の先端面に開口させて、上記給油通路を構成している。
そして、上記給油通路を通じて上記円孔内に送り込んだ潤滑油の全量を、上記ラジアルニードル軸受及び上記スラスト転がり軸受を通過させてから、このスラスト転がり軸受の周囲空間に排出自在としている。
【００２３】
【作用】
上述の様に構成する本発明のトロイダル型無段変速機は、前述した従来のトロイダル型無段変速機と同様の作用に基づき、第一のディスクと第二のディスクとの間で回転力の伝達を行ない、更にトラニオンの傾斜角度を変える事により、これら両ディスクの回転速度比を変える。
【００２４】
特に、本発明のトロイダル型無段変速機の場合には、枢支軸部の内部に設ける給油通路を、この枢支軸部の基端面から先端側に向けて形成された１本の直線状の給油孔により構成している為、上記給油通路の加工が容易でコストの低廉化を図れ、しかも、この給油通路をその内部に設けた上記枢支軸部の耐久性を確保する事が容易になる。更には、バリの発生を少なくでき、発生したバリの除去も容易である。
しかも、本発明のトロイダル型無段変速機の場合には、上記給油通路を送られる潤滑油は、その全量が、ラジアルニードル軸受及びスラスト転がり軸受を通じて流れる為、これら各軸受を潤滑する潤滑油の流量を確保して、これら各軸受の潤滑性を良好にできる。
【００２５】
【発明の実施の形態】
図１は、本発明の実施の形態の第１例を示している。尚、本例の特徴は、変位軸７を構成する枢支軸部２２の内部に設けた給油通路である受入側給油通路３７の構造、並びにこの受入側給油通路３７を通じて送られる潤滑油を、パワーローラ８Ａを支持するラジアルニードル軸受２５に効率良く送り込む部分の構造にある。その他の部分の構造及び作用に就いては、前述した従来構造と同様である為、重複する説明を省略若しくは簡略にし、以下、本発明の特徴部分を中心に説明する。
【００２６】
上記パワーローラ８Ａを枢支する為の変位軸７の先半部を構成する枢支軸部２２の内側には、特許請求の範囲に記載した給油通路に対応する受入側給油通路３７を設けている。この受入側給油通路３７は、上記枢支軸部２２の軸方向（図１の上下方向）に形成しており、その上流端（図１の上端）を上記枢支軸部２２の基端面３４に、その下流端（図１の下端）をこの枢支軸部２２の先端面３８に、それぞれ開口させている。
【００２７】
又、上記パワーローラ８Ａの中心部には有底の円孔３９を、このパワーローラ８Ａの外端面（トラニオン６の内側面に対向する面で、図１の上面）側にのみ開口する状態で形成している。この様な円孔３９は、その内部に上記パワーローラ８Ａを支持する為の枢支軸部２２及びラジアルニードル軸受２５を挿入自在である。尚、上記円孔３９の底面４０の中央部には凹部４１を形成し、この底面４０と上記枢支軸部２２の先端面３８とが密接せず、これら両面４０、３８同士の間に給油隙間４２が形成される様にしている。
【００２８】
上述の様な受入側給油通路３７を有する上記変位軸７、及び上述の様な円孔３９を有するパワーローラ８Ａを組み込んだ、本例のトロイダル型無段変速機の運転時に、トラニオン６内に設けられた送り込み側給油通路３１を通じて送り込まれる潤滑油は、上記受入側給油通路３７の上流端からこの受入側給油通路３７に流入する。そして、この受入側給油通路３７内を流れた潤滑油は、この受入側給油通路３７の下流端開口から上記給油隙間４２に入り込む。
【００２９】
この様にして給油隙間４２内に入り込んだ潤滑油は、この給油隙間４２をその奥端部（底部）に設けた上記円孔３９の開口部に向け、上記ラジアルニードル軸受２５内の隙間を通過しつつ流れる。更に、上記円孔３９から流出した潤滑油は、スラスト玉軸受２６の隙間を通じて、上記パワーローラ８Ａの径方向外方に流れる。この様に本例の場合には、上記受入側給油通路３７の下流端開口から流れ出した潤滑油は、その全量が、上記ラジアルニードル軸受２５及び上記スラスト玉軸受２６を通じて流れる。従って、これら各軸受２５、２６を潤滑する潤滑油の流量を確保して、これら各軸受２５、２６の潤滑性を良好にできる。
【００３０】
又、本例の場合には、上記受入側給油通路３７を、前記枢支軸部２２の基端面３４から先端面３８に向け、この枢支軸部２２の軸方向（基端面３４及び先端面３８に対し直角方向）に形成している。この為、上記受入側給油通路３７の加工が容易で、コストの低廉化を図れる。即ち、上記受入側給油通路３７を形成する作業は、上記基端面３４（又は先端面３８）にドリル刃を直角に突き当てる事で、容易に行なえる。しかも、加工に伴ってバリが発生する個所は、先端面３８（又は基端面３４）の１個所のみであり、しかもこのバリは外部に露出した場所に存在する為、除去作業は容易である。従って、上記受入側給油通路３７の形成作業自体も、この形成作業に伴って生じるバリの除去も容易で、コスト低減を図れる。
【００３１】
しかも、上記受入側給油通路３７は、上記枢支軸部２２の軸方向に形成している為、トロイダル型無段変速機の運転時にこの枢支軸部２２に曲げ応力が作用した場合でも、上記受入側給油通路３７部分に発生する応力集中の程度は小さい。言い換えれば、前述した従来構造の様な、径方向の孔が存在しないので、曲げ応力によっても、大きな応力集中が発生する事はない。この為、上記枢支軸部２２の径を特に大きくしなくても、この枢支軸部２２を含む変位軸７の耐久性を確保する事が容易になる。しかも、発生する応力が低下するので、この変位軸７を肉抜き等によって、より軽量化する事も可能になり、小型・軽量で、しかも十分な耐久性を有するトロイダル型無段変速機の実現を図れる。
【００３２】
次に、図２は、本発明の実施の形態の第２例を示している。本例の場合には、変位軸７を構成する枢支軸部２２の基端面３４の一部で、この枢支軸部２２に形成した受入側給油通路３７の上流端開口部に、大径部４３を形成している。この様な大径部４３は、トラニオン６に設けた送り込み側給油通路３１（図１参照）の下流端開口部と対向して、この送り込み側給油通路３１から吐出される潤滑油を上記受入側給油通路３７に、効率良く取り込める様にする。その他の構成及び作用は、上述した第１例と同様である。
【００３３】
【発明の効果】
本発明は、以上に述べた通り構成され作用する為、軽量でしかも十分な耐久性を有するトロイダル型無段変速機を、低コストで実現できる。
【図面の簡単な説明】
【図１】  本発明の実施の形態の第１例を示す要部断面図。
【図２】  同第２例を示す、図１のＡ部に相当する断面図。
【図３】  従来から知られているトロイダル型無段変速機の基本的構成を、最大減速時の状態で示す側面図。
【図４】  同じく最大増速時の状態で示す側面図。
【図５】  従来の具体的構造の１例を示す断面図。
【図６】  図５のＢ−Ｂ断面図。
【図７】  給油通路を設けた従来構造を示す要部断面図。
【符号の説明】
１    入力軸
２    入力側ディスク（第一のディスク）
２ａ  内側面
３    出力軸
４    出力側ディスク（第二のディスク）
４ａ  内側面
５    枢軸
６    トラニオン
７    変位軸
８、８Ａ  パワーローラ
８ａ  周面
９    押圧装置
１０    カム板
１１    保持器
１２    ローラ
１３、１４  カム面
１５    入力軸
１６    ニードル軸受
１７    鍔部
１８    出力歯車
１９    キー
２０    支持板
２１    支持軸部
２２    枢支軸部
２３    円孔
２４、２５  ラジアルニードル軸受
２６    スラスト玉軸受
２７    スラストニードル軸受
２８    外輪
２９    駆動ロッド
３０    駆動ピストン
３１    送り込み側給油通路
３２    給油孔
３３    受入側給油通路
３４    基端面
３５    主通路
３６    分岐通路
３７    受入側給油通路
３８    先端面
３９    円孔
４０    底面
４１    凹部
４２    給油隙間
４３    大径部
４６    駆動シリンダ
【図１】
0004141079.tif 000002
【図２】
0004141079.tif 000003
【図３】
0004141079.tif 000004
【図４】
0004141079.tif 000005
【図５】
0004141079.tif 000006
【図６】
0004141079.tif 000007
【図７】
0004141079.tif 000008